【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
被写体像を結像させるための撮影レンズの異なる瞳領域を通過した光をそれぞれ受光して電荷を蓄積する第１のセンサおよび第２のセンサを有する焦点検出センサと、
前記焦点検出センサから入力された信号に基づいて、特徴量を生成する特徴量生成手段と、
前記第１のセンサにおいて蓄積された電荷に対応する第１の信号に基づく特徴量と、前記第２のセンサにおいて蓄積された電荷に対応する第２の信号に基づく特徴量とに基づいて、前記第１のセンサおよび前記第２のセンサにおける電荷の蓄積動作を制御する蓄積制御手段と、
を備えることを特徴とする焦点検出装置。
【請求項２】
前記蓄積制御手段は、前記第１の信号に基づく特徴量の信号レベルが所定のレベルに達したら、前記第１のセンサにおける電荷の蓄積を停止し、前記第２の信号に基づく特徴量の信号レベルが前記所定のレベルに達したら、前記第２のセンサにおける電荷の蓄積を停止することを特徴とする請求項１に記載の焦点検出装置。
【請求項３】
前記特徴量生成手段は、第１のモードにおいて、前記第１の信号と前記第２の信号を合成した信号に基づいて特徴量を生成し、第２のモードにおいて、前記第１の信号と前記第２の信号のそれぞれに基づいて特徴量を生成することを特徴とする請求項１または２に記載の焦点検出装置。
【請求項４】
前記蓄積制御手段は、前記第１のモードで生成された特徴量に基づいて前記第１のセンサおよび前記第２のセンサにおける電荷の蓄積動作を制御する場合、前記第１の信号と前記第２の信号を合成した信号に基づく特徴量の信号レベルが所定のレベルに達したら、前記第１のセンサおよび前記第２のセンサにおける電荷の蓄積を停止することを特徴とする請求項３に記載の焦点検出装置。
【請求項５】
前記蓄積制御手段は、前記第２のモードで生成された特徴量に基づいて前記第１のセンサおよび前記第２のセンサにおける電荷の蓄積動作を制御する場合、前記第１の信号に基づく特徴量の信号レベルが所定のレベルに達したら、前記第１のセンサにおける電荷の蓄積を停止し、前記第２の信号に基づく特徴量の信号レベルが前記所定のレベルに達したら、前記第２のセンサにおける電荷の蓄積を停止することを特徴とする請求項３または４に記載の焦点検出装置。
【請求項６】
前記第１の信号と前記第２の信号のそれぞれの前記特徴量生成手段への入力を切り換える切り換え手段を有することを特徴とする請求項３乃至５のいずれか１項に記載の焦点検出装置。
【請求項７】
前記切り換え手段は、前記第１のモードにおいて、前記第１の信号と前記第２の信号の両方を前記特徴量生成手段に入力し、前記第２のモードにおいて、前記第１の信号と前記第２の信号のいずれか一方を前記特徴量生成手段に入力することを特徴とする請求項６に記載の焦点検出装置。
【請求項８】
前記第２のモードでは、前記特徴量生成手段は、前記第１の信号に基づく特徴量と前記第２の信号に基づく特徴量を時分割で生成することを特徴とする請求項３乃至７のいずれか１項に記載の焦点検出装置。
【請求項９】
前記蓄積制御手段は、前記第１のセンサおよび前記第２のセンサにおける電荷の蓄積開始から所定の時間が経過するまで、前記第１のモードで生成された特徴量に基づいて、前記第１のセンサおよび前記第２のセンサにおける電荷の蓄積を制御することを特徴とする請求項３乃至８のいずれか１項に記載の焦点検出装置。 
【請求項１０】
前記蓄積制御手段は、前記第１のセンサおよび前記第２のセンサにおける電荷の蓄積開始から前記所定の時間が経過するまでに、前記第１のモードで生成された特徴量に基づいて前記第１のセンサおよび前記第２のセンサにおける電荷の蓄積を停止しなかった場合、前記第２のモードで生成された特徴量に基づいて前記第１のセンサおよび前記第２のセンサにおける電荷の蓄積を制御することを特徴とする請求項９に記載の焦点検出装置。
【請求項１１】
前記蓄積制御手段は、前記第１の信号に基づく特徴量と前記第２の信号に基づく特徴量の信号レベルがともに所定のレベルに達した場合に、前記第１のセンサおよび前記第２のセンサにおける電荷の蓄積を停止することを特徴とする請求項１に記載の焦点検出装置。
【請求項１２】
前記特徴量生成手段は、前記第１の信号に基づく特徴量と前記第２の信号に基づく特徴量のうち、小さい方を前記蓄積制御手段に出力し、
前記蓄積制御手段は、出力された当該特徴量に基づいて電荷の蓄積動作を制御することを特徴とする請求項１に記載の焦点検出装置。
【請求項１３】
前記特徴量が、前記特徴量生成手段に入力された信号の最大値、入力された信号の最小値、及び前記最大値と前記最小値の差分のうちのいずれかであることを特徴とする請求項１乃至１２のいずれか１項に記載の焦点検出装置。
【請求項１４】
被写体像を結像させるための撮影レンズの異なる瞳領域を通過した光をそれぞれ受光して電荷を蓄積する第１のセンサおよび第２のセンサを有する焦点検出センサと、
前記第１のセンサおよび前記第２のセンサにおいて蓄積された電荷に対応するそれぞれの信号の最大値に基づいて、第３の信号を生成する第３の信号生成手段と、
前記第１のセンサおよび前記第２のセンサにおいて蓄積された電荷に対応するそれぞれの信号の最小値に基づいて、第４の信号を生成する第４の信号生成手段と、
前記第３の信号と前記第４の信号に基づいて、特徴量を生成する特徴量生成手段と、
前記特徴量に基づいて、前記第１のセンサおよび前記第２のセンサにおける電荷の蓄積動作を制御する蓄積制御手段と、
を備えることを特徴とする焦点検出装置。
【請求項１５】
前記蓄積制御手段は、前記特徴量の信号レベルが所定のレベルに達した場合に、前記第１のセンサおよび前記第２のセンサにおける電荷の蓄積を停止することを特徴とする請求項１４に記載の焦点検出装置。
【請求項１６】
前記特徴量が、前記第３の信号と前記第４の信号の差分であることを特徴とする請求項１４または１５に記載の焦点検出装置。
【請求項１７】
被写体像を結像させるための撮影レンズの異なる瞳領域を通過した光をそれぞれ受光して電荷を蓄積する第１のセンサおよび第２のセンサを有する焦点検出センサを備えた焦点検出装置を制御する方法であって、
前記焦点検出センサから入力された信号に基づいて、特徴量を生成する特徴量生成工程と、
前記第１のセンサにおいて蓄積された電荷に対応する第１の信号に基づく特徴量と、前記第２のセンサにおいて蓄積された電荷に対応する第２の信号に基づく特徴量とに基づいて、前記第１のセンサおよび前記第２のセンサにおける電荷の蓄積動作を制御する蓄積制御工程と、
を備えることを特徴とする焦点検出装置の制御方法。
【請求項１８】
被写体像を結像させるための撮影レンズの異なる瞳領域を通過した光をそれぞれ受光して電荷を蓄積する第１のセンサおよび第２のセンサを有する焦点検出センサを備えた焦点検出装置を制御する方法であって、
前記第１のセンサおよび前記第２のセンサにおいて蓄積された電荷に対応するそれぞれの信号の最大値に基づいて、第３の信号を生成する第３の信号生成工程と、
前記第１のセンサおよび前記第２のセンサにおいて蓄積された電荷に対応するそれぞれの信号の最小値に基づいて、第４の信号を生成する第４の信号生成工程と、
前記第３の信号と前記第４の信号に基づいて、特徴量を生成する特徴量生成工程と、
前記特徴量に基づいて、前記第１のセンサおよび前記第２のセンサにおける電荷の蓄積動作を制御する蓄積制御工程と、 を備えることを特徴とする焦点検出装置の制御方法。
【手続補正２】
【補正対象書類名】明細書
【補正対象項目名】００１０
【補正方法】変更
【補正の内容】
【００１０】
本発明に係わる焦点検出装置は、被写体像を結像させるための撮影レンズの異なる瞳領域を通過した光をそれぞれ受光して電荷を蓄積する第１のセンサおよび第２のセンサを有する焦点検出センサと、前記焦点検出センサから入力された信号に基づいて、特徴量を生成する特徴量生成手段と、前記第１のセンサにおいて蓄積された電荷に対応する第１の信号に基づく特徴量と、前記第２のセンサにおいて蓄積された電荷に対応する第２の信号に基づく特徴量とに基づいて、前記第１のセンサおよび前記第２のセンサにおける電荷の蓄積動作を制御する蓄積制御手段と、を備えることを特徴とする。
また、本発明に係わる焦点検出装置は、被写体像を結像させるための撮影レンズの異なる瞳領域を通過した光をそれぞれ受光して電荷を蓄積する第１のセンサおよび第２のセンサを有する焦点検出センサと、前記第１のセンサおよび前記第２のセンサにおいて蓄積された電荷に対応するそれぞれの信号の最大値に基づいて、第３の信号を生成する第３の信号生成手段と、前記第１のセンサおよび前記第２のセンサにおいて蓄積された電荷に対応するそれぞれの信号の最小値に基づいて、第４の信号を生成する第４の信号生成手段と、前記第３の信号と前記第４の信号に基づいて、特徴量を生成する特徴量生成手段と、前記特徴量に基づいて、前記第１のセンサおよび前記第２のセンサにおける電荷の蓄積動作を制御する蓄積制御手段と、を備えることを特徴とする。
また、本発明に係わる焦点検出装置の制御方法は、被写体像を結像させるための撮影レンズの異なる瞳領域を通過した光をそれぞれ受光して電荷を蓄積する第１のセンサおよび第２のセンサを有する焦点検出センサを備えた焦点検出装置を制御する方法であって、前記焦点検出センサから入力された信号に基づいて、特徴量を生成する特徴量生成工程と、前記第１のセンサにおいて蓄積された電荷に対応する第１の信号に基づく特徴量と、前記第２のセンサにおいて蓄積された電荷に対応する第２の信号に基づく特徴量とに基づいて、前記第１のセンサおよび前記第２のセンサにおける電荷の蓄積動作を制御する蓄積制御工程と、を備えることを特徴とする。
また、本発明に係わる焦点検出装置の制御方法は、被写体像を結像させるための撮影レンズの異なる瞳領域を通過した光をそれぞれ受光して電荷を蓄積する第１のセンサおよび第２のセンサを有する焦点検出センサを備えた焦点検出装置を制御する方法であって、前記第１のセンサおよび前記第２のセンサにおいて蓄積された電荷に対応するそれぞれの信号の最大値に基づいて、第３の信号を生成する第３の信号生成工程と、前記第１のセンサおよび前記第２のセンサにおいて蓄積された電荷に対応するそれぞれの信号の最小値に基づいて、第４の信号を生成する第４の信号生成工程と、前記第３の信号と前記第４の信号に基づいて、特徴量を生成する特徴量生成工程と、前記特徴量に基づいて、前記第１のセンサおよび前記第２のセンサにおける電荷の蓄積動作を制御する蓄積制御工程と、 を備えることを特徴とする。